(57)【要約】【課題】各種操作画面に対する伝達情報を、各種操作画面上に表示させ、操作性が向上された画像形成装置及び画像形成システムを実現することである。【解決手段】  保有する機能の項目を示す操作画面を表示する表示部と、操作画面に対してメッセージを入力するためのキーボードと、メッセージの操作画面上における表示位置を設定するためのマウスと、メッセージ及び表示位置を記憶する記憶部２２と、メッセージ及び表示位置の設定入力時における画面コードと、操作画面で設定入力されたメッセージ及び表示位置とを対応付けた情報を付箋データとして記憶部に登録させ、表示部に表示される操作画面の画面コードに対応する付箋データを記憶部から読み出し、読み出した付箋データに対応する付箋画像を操作画面上に表示させる制御部を備えた画像形成装置。【選択図】図６
2006139186.tif 000002
【特許請求の範囲】
【請求項１】
保有する機能の項目を示す操作画面を表示する表示手段と、
前記操作画面に対して伝達情報を入力するための情報入力手段と、
当該伝達情報の前記操作画面上における表示位置を設定するための表示位置設定手段と、
前記伝達情報及び前記表示位置を記憶する記憶手段と、
前記伝達情報及び前記表示位置の設定入力時における操作画面情報と、当該操作画面で設定入力された当該伝達情報及び当該表示位置とを対応付けた情報を付箋情報として前記記憶手段に登録させる付箋情報生成手段と、
前記表示手段に表示される操作画面情報に対応する付箋情報を前記記憶手段から読み出し、読み出した付箋情報に対応する付箋画像を当該操作画面上に表示させる付箋画像表示手段と、
を備えたことを特徴とする画像形成装置。
【請求項２】
請求項１に記載の画像形成装置において、
前記表示位置は、前記操作画面上に前記付箋画像のみを表示させるために予め設定された位置又は前記操作画面上の任意の位置のいずれかに設定されること、
を特徴とする画像形成装置。
【請求項３】
請求項１又は２に記載の画像形成装置において、
前記操作画面上に前記付箋画像の表示の可否を選択させる選択手段を備えること、
を特徴とする画像形成装置。
【請求項４】
画像形成装置と遠隔操作装置とがネットワークを介して通信可能に接続された画像形成システムにおいて、
前記遠隔操作装置は、
前記画像形成装置から送信された操作画面を表示する第１表示手段と、
前記第１表示手段に表示された操作画面に対して伝達情報を入力するための情報入力手段と、
前記伝達情報の前記操作画面上における表示位置を設定するための表示位置設定手段と、
前記第１表示手段に操作画面をブラウザを用いて表示させ、設定入力された当該伝達情報と当該表示位置とを前記画像形成装置に送信する制御手段と、を備え、
前記画像形成装置は、
保有する機能の項目を示す操作画面を表示する第２表示手段と
前記遠隔操作装置から受信した前記伝達情報及び前記表示位置を記憶する記憶手段と、
前記操作画面をネットワークを介して接続された遠隔操作装置へ送信するウェブサーバを実現し、前記遠隔操作装置から受信した前記伝達情報及び前記表示位置と、当該伝達情報及び当該表示位置が設定入力された時点において第１表示手段に表示されていた操作画面情報とを対応付けた情報を付箋情報として前記記憶手段に登録させる付箋情報生成手段と、
前記第２表示手段に表示される操作画面情報に対応する付箋情報を前記記憶手段から読み出し、読み出した付箋情報に対応する付箋画像を前記操作画面上に表示させる付箋画像表示手段と、を備えること、
を特徴とする画像形成システム。
【請求項５】
請求項４に記載の画像形成システムにおいて、
請求項１から３のいずれか一項に記載の画像形成装置を備えることを特徴とする画像形成システム。
【発明の詳細な説明】
【技術分野】
【０００１】
本発明は、複写機、プリンタ、ファクシミリ及びこれらの複合機（以下、画象形成装置という。）において、ネットワークを介して遠隔操作を可能とする画像形成システムに関する。
【背景技術】
【０００２】
近年、紙等の記録媒体に画像を形成して出力する複写機等の画像形成装置と、ネットワークを介して遠隔操作するＰＣ（Personal Computer）等の遠隔操作装置とが接続され、遠隔操作装置から操作指示を送信して画像形成装置が操作されたり、画像形成装置の操作画面が遠隔操作装置の操作画面に表示される画像形成システムが様々提案されている。
【０００３】
例えば、記憶媒体あるいはネットワークを介して、ユーザ設定内容が記述された設定共用ファイルが読込まれ、読込まれた設定共用ファイル内の記述に従がって、操作パネル制御部が操作パネル上に表示される操作画面の仕様のカスタマイズ行うユーザ設定共用システムとしての画像処理装置が開示されている（特許文献１参照）。
【０００４】
また、ホストコンピュータ、プリンタ、デジタル複写機は、ローカルエリアネットワークに割当てられたネットワークＩＤと共にデバイスの機能を特定するデバイスＩＤを送出あるいは取得し、操作命令を操作元機器及び操作先機器で読込可能な形式に変換し、操作命令を送出あるいは取得し、操作先機器における操作命令の中に操作元機器にはない操作命令がある場合、それを代替し、画像情報を送出する機能を有する情報処理装置が開示されている（特許文献２参照）。
【０００５】
リモート操作装置は、ＯＡ機器から入力される設定情報に従って、操作画面を表示するための基本となる部品データを使用して、ＯＡ機器のディスプレイと略同一の操作画面をリモート操作装置の表示部に表示する。そして、リモート操作装置は、表示部の操作画面で操作がなされると、動作命令や表示変化内容をＯＡ機器に送出する。ＯＡ機器では、リモート操作装置から入力される動作命令に従って動作を行い、リモート操作装置から入力される表示変化内容に従ってディスプレイの表示をリアルタイムに更新するＯＡ機器のリモート操作システムが開示されている（特許文献３参照）。
【特許文献１】特開２００１−３０６２０４号公報
【特許文献２】特開２０００−３５７０７２号公報
【特許文献３】特開２００２−２８１１９５号公報
【発明の開示】
【発明が解決しようとする課題】
【０００６】
ところで、画像形成装置の表示部に表示される各種操作画面に対する補助的な操作指示や注意喚起、備忘録等（例えば、「コピー後は、原稿の取り忘れに注意！！」、「トレイ３は、カラー紙です。」など。）の情報は、紙等に書かれて画像形成装置の表示部近傍や装置側面等に貼り付けられている場合が多い。そのためユーザは、各種操作画面毎に対応する情報を探さなくてはならず、使い勝手のよいものではなかった。
【０００７】
また、上記のようなシステムを採用したＰＯＤ（Print On Demand）装置において、遠隔地のオペレータが画像形成装置の表示部に表示されている各種操作画面を参照しながら機器状態を監視することが想定されるため、遠隔操作装置から補助的な操作指示や注意喚起、備忘録等の情報を画像形成装置の表示部上の操作画面に表示させることにより装置の効率的な運用を図ることが望まれている。
【０００８】
本発明の課題は、各種操作画面に対する伝達情報を、各種操作画面上に表示させ、操作性が向上された画像形成装置及び画像形成システムを実現することである。
【課題を解決するための手段】
【０００９】
請求項１に記載の発明は、保有する機能の項目を示す操作画面を表示する表示手段と、前記操作画面に対して伝達情報を入力するための情報入力手段と、当該伝達情報の前記操作画面上における表示位置を設定するための表示位置設定手段と、前記伝達情報及び前記表示位置を記憶する記憶手段と、前記伝達情報及び前記表示位置の設定入力時における操作画面情報と、当該操作画面で設定入力された当該伝達情報及び当該表示位置とを対応付けた情報を付箋情報として前記記憶手段に登録させる付箋情報生成手段と、前記表示手段に表示される操作画面情報に対応する付箋情報を前記記憶手段から読み出し、読み出した付箋情報に対応する付箋画像を当該操作画面上に表示させる付箋画像表示手段と、を備えた画像形成装置であること、を特徴としている。
【００１０】
請求項２に記載の発明は、請求項１に記載の画像形成装置において、前記表示位置は、前記操作画面上に前記付箋画像のみを表示させるために予め設定された位置又は前記操作画面上の任意の位置のいずれかに設定されること、を特徴としている。
【００１１】
請求項３に記載の発明は、請求項１又は２に記載の画像形成装置において、前記操作画面上に前記付箋画像の表示の可否を選択させる選択手段を備えること、を特徴としている。
【００１２】
請求項４に記載の発明は、画像形成装置と遠隔操作装置とがネットワークを介して通信可能に接続された画像形成システムにおいて、前記遠隔操作装置は、前記画像形成装置から送信された操作画面を表示する第１表示手段と、前記第１表示手段に表示された操作画面に対して伝達情報を入力するための情報入力手段と、前記伝達情報の前記操作画面上における表示位置を設定するための表示位置設定手段と、前記第１表示手段に操作画面をブラウザを用いて表示させ、設定入力された当該伝達情報と当該表示位置とを前記画像形成装置に送信する制御手段と、を備え、前記画像形成装置は、保有する機能の項目を示す操作画面を表示する第２表示手段と、前記遠隔操作装置から受信した前記伝達情報及び前記表示位置を記憶する記憶手段と、前記操作画面をネットワークを介して接続された遠隔操作装置へ送信するウェブサーバを実現し、前記遠隔操作装置から受信した前記伝達情報及び前記表示位置と、当該伝達情報及び当該表示位置が設定入力された時点において第１表示手段に表示されていた操作画面情報とを対応付けた情報を付箋情報として前記記憶手段に登録させる付箋情報生成手段と、前記第２表示手段に表示される操作画面情報に対応する付箋情報を前記記憶手段から読み出し、読み出した付箋情報に対応する付箋画像を前記操作画面上に表示させる付箋画像表示手段と、を備える画像形成システムであること、を特徴としている。
【００１３】
請求項５に記載の発明は、請求項４に記載の画像形成システムにおいて、請求項１から３のいずれか一項に記載の画像形成装置を備えること、を特徴としている。
【発明の効果】
【００１４】
請求項１に記載の発明によれば、伝達情報を操作画面上の設定した位置に表示させることができるため、各種操作画面に対する補助的な操作指示や注意喚起、備忘録等の伝達情報を用意に伝達表示でき、操作性が向上された画像形成装置を実現することができる。
【００１５】
請求項２に記載の発明によれば、請求項１と同様の効果を得られるのは勿論のこと、各種操作画面に対する添付画像の表示位置を視認しやすい位置に設定することができるため、操作画面毎の情報を探す手間を省くことができると共に誤操作を防止し、作業効率が向上された画像形成装置を実現することができる。
【００１６】
請求項３に記載の発明によれば、請求項１又は２と同様の効果を得られるのは勿論のこと、ユーザ毎に操作画面上に表示される付箋画像を容易に表示させることができ、ユーザにとって使い勝手が向上された画像形成装置を実現することができる。
【００１７】
請求項４に記載の発明によれば、遠隔操作装置側に特別な処理プログラムを用意することなく遠隔操作装置から画像形成装置の第２表示手段に表示される付箋画像を容易に設定することができ、操作性が向上された画像形成システムを実現することができる。
【００１８】
請求項５に記載の発明によれば、請求項４と同様の効果を得られるのは勿論のこと、各種操作画面に対する添付画像の表示位置を視認しやすい位置に設定することができるため、操作画面毎の情報を探す手間を省くことができると共に誤操作を防止し、作業効率が向上された画像形成システムを実現することができる。
【発明を実施するための最良の形態】
【００１９】
本実施の形態では、ＷＷＷ（World Wide Web）サーバ（以下、ウェブサーバという。）を備えた画像形成装置と、例えばＷＷＷ（World Wide Web）ブラウザ等の閲覧ソフトウェア（以下、ブラウザという。）が動作するプラットフォームを備えた遠隔操作装置とがネットワークを介して接続され、画像形成装置がウェブサーバにより提供する遠隔操作装置用のウェブページを、遠隔操作装置からブラウザを用いて閲覧し、操作することができる画像形成システムの例について説明する。
【００２０】
以下、図を参照して本発明の実施の形態を詳細に説明する。
まず、構成を説明する。
図１に、本実施の形態における画像形成システム１の構成を示す。
【００２１】
図１に示すように、画像形成システム１は、遠隔操作装置１０と画像形成装置２０とを備え、各装置はネットワークＮを介して相互に情報の送受信が可能に構成されている。なお、図１には、３台の遠隔操作装置１０と１台の画像形成装置が接続された例を示したが、各装置の設置台数は特に限定しない。
【００２２】
遠隔操作装置１０は、画像形成装置２０を遠隔操作することを目的として、例えば、ブラウザを用いて画像形成装置２０の操作画面を閲覧し、この操作画面上で行う操作指示を画像形成装置２０へ送信する装置である。例えば、汎用のＰＣ等の情報処理装置が適用可能である。
【００２３】
画像形成装置２０は、ブラウザで閲覧するコンテンツを提供するためのソフトウェアがインストールされており、画像形成機能とウェブサーバとしての機能を併せ持ち、装置本体に設けられた操作部からの操作指示又は遠隔操作装置１０から送信される操作指示に従って処理を行う装置である。例えば、複写機、プリンタ、ファクシミリ及びこれらの複合機等が適用可能である。
【００２４】
ネットワークＮは、ＬＡＮ（Local Area Network）、ＷＡＮ（Wide Area Network）としてもよく、また、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線と、それらを接続するインターネットサービスプロバイダなどを含む構成でもよい。
【００２５】
まず、遠隔操作装置１０について説明する。
図２に、遠隔操作装置１０の内部構成を示す。
図２に示すように、遠隔操作装置１０は、制御部１１、記憶部１２、ＲＡＭ（Random Access Memory）１３、操作部１４、表示部１５、通信部１６等を備え、各部はバス１７を介して互いに通信可能に接続されている。
【００２６】
制御部１１は、ＣＰＵ（Central Processing Unit）等を備え、記憶部１２に記憶されているシステムプログラム、各種制御プログラム、各種データ等をＲＡＭ１３内に展開し、これらのプログラム及びデータとの協働により、遠隔操作装置１０の動作全般を集中制御する。
【００２７】
また、制御部１１は、記憶部１２に記憶されているブラウザプログラム１２ａや各種データを用いて画像形成装置２０から通信部１４を介して受信した操作画面の画面データを表示部１２に閲覧操作画面として表示させ、操作部１２によって設定入力された伝達情報としてのメッセージとメッセージの表示位置等の操作指示信号を画像形成装置２０に送信するよう制御する制御手段である。
【００２８】
記憶部１２は、ＲＯＭ（Read Only Memory）やＨＤＤ（Hard Disk Drive）等の不揮発性の記憶媒体を備え、この記憶媒体内に、制御部１１により実行されるシステムプログラム、各種制御プログラム、ブラウザを実行するためのブラウザプログラム１２ａ及びこれらのプログラムに係るデータ等を記憶している。
【００２９】
ＲＡＭ１３は、制御部１１によって実行される各種プログラム及びこれらに係るデータを一時的に記憶するワークエリアを形成する。
【００３０】
操作部１４は、画像形成装置２０に対する操作指示を入力するための数字キー、文字キー、各種機能キー等から構成されるキーボードやマウス等のポインティングデバイスを含んで構成され、操作された操作指示信号を制御部１１に出力する。また、操作部１２のキーボードは、表示部１３に表示された閲覧操作画面上に対して文字、符号、記号等から成る伝達情報としてのメッセージを入力するための情報入力手段であり、マウス等のポインティングデバイスは、メッセージの操作画面上における表示位置を設定するための表示位置設定手段である。
【００３１】
遠隔操作装置１０の操作部１４を用いて付箋画像の表示位置が設定される場合、ウェブページ上に表示された閲覧操作画面上にマウスポインタを合わせてクリックされた座標に基づいて表示位置が設定される。閲覧操作画面に表示されている専用表示位置上がクリックされた場合、表示位置は専用表示位置と設定され、その他がクリックされた場合、そのクリックされた位置座標が表示座標と設定される。
【００３２】
なお、本実施の形態においては、マウスを用いて表示位置を設定した場合を示すが、これに限定されず、グラフィックタブレット等を用いて設定してもよい。
【００３３】
表示部１５は、ＬＣＤ（Liquid Crystal Display）等を備えて構成され、制御部１１から入力される制御信号に基づき各種表示を行うものであり、操作部１２における入力内容や、ブラウザを用いて通信部１４を介して画像形成装置２０から送信される操作画面としての画面データをウェブページ上で閲覧操作画面として表示する第１表示手段である。
【００３４】
通信部１６は、ネットワークインターフェースカード（ＮＩＣ；Network Interface Card）、モデム（ＭＯＤＥＭ：MOdulator-DEModulator）、ＵＳＢ（Universal Serial Bus）等の各種インターフェースを備えて構成され、ネットワークＮ上の外部機器と相互に情報の送受信を行う。
【００３５】
次に、画像形成装置２０を説明する。
図３に、画像形成装置２０の内部構成を示す。
図３に示すように、画像形成装置２０は、制御部２１、記憶部２２、ＲＡＭ２３、操作表示部２４、画像読取部２７、プリント部２８、通信部２９を備え、各部はバス３０を介して互いに通信可能に接続されている。
【００３６】
制御部２１は、ＣＰＵ等を備え、記憶部２２に記憶されているシステムプログラム、各種制御プログラム、各種データをＲＡＭ２３内に展開し、これらのプログラム及びデータとの協働により、画像形成装置２０を構成する各部を統括的に制御する。
【００３７】
制御部２１は、記憶部２２に記憶されているウェブサーバプログラム２２ａをＲＡＭ２３に展開して、ウェブサーバを実行し、ウェブサーバ上のウェブページを通信部２９を介してネットワークＮに接続された遠隔操作装置１０に送信する。
【００３８】
ウェブサーバは、表示部２６上に表示される操作画面を例えば、ＰＮＧ（Portable Network Graphics）形式の画面データに変換する画像変換処理を行い、遠隔操作装置１０のブラウザで表示される閲覧操作画面とし、例えば、ＳＧＭＬ（Standard Generalized Markup Language）、ＨＴＭＬ（Hyper Text Markup Language）、ＴＥＸ等のマークアップ言語を用いて記憶部２２に蓄積し、遠隔操作装置１０のブラウザ等の要求に応じて、ネットワークＮを通じて、これらの画面データを送信する役割を果たす。
【００３９】
閲覧操作画面は、表示部２６上で表示される操作画面と同様の形態の画像であり、また、表示部２６上で表示される操作画面は、表示部２６が有するＶＲＡＭ（Video Random Access Memory）２６ａに書込まれた画面データや、記憶部２２に予め記憶されている基本画面データである。
【００４０】
制御部２１は、画像形成装置２０の操作部２５の付箋作成キーが押下された場合、メッセージ及びメッセージの表示位置の設定入力時における操作画面の画面コード（操作画面情報）と、設定入力されたメッセージと表示位置とを対応付けた情報を付箋データ（付箋情報）として記憶部２２の付箋データ記憶エリア２２ｂに登録させる付箋情報生成手段である。
【００４１】
また、制御部２１は、ウェブサーバを実行して、遠隔操作装置１０の要求に応じて画像形成装置２０の表示部２６上で表示される操作画面の送信処理を行う。
制御部２１は、遠隔操作装置１０から付箋作成指示を示す信号を受信した場合、遠隔操作装置１０から受信したメッセージ及びメッセージの表示位置とが設定入力された時点において遠隔操作装置１０の表示部１５に表示されている閲覧操作画面に対する操作画面の画面コード（操作画面情報）と、付箋作成指示と共に受信したメッセージ及び表示位置を対応付けた情報を付箋データ（付箋情報）として記憶部２２の付箋データ記憶エリア２２ｂに登録させる付箋情報生成手段である。
【００４２】
制御部２１は、表示部２６に表示される操作画面のうち、操作画面の画面コードに対応付けられた付箋データが有る場合、付箋データを付箋データ記憶エリア２２ｂから読み出し、読み出した付箋データに対応する付箋画像を操作画面上に表示させる付箋画像表示手段である。また、付箋データ記憶エリア２２ｂに登録された付箋データの一覧を表示部２６に表示させる。
【００４３】
記憶部２２は、ＲＯＭ（Read Only Memory）やＨＤＤ（Hard Disk Drive）等の不揮発性の記憶媒体を備え、この記憶媒体内に、制御部２１により実行されるシステムプログラム、各種制御プログラム、ウェブサーバを実行するためのウェブサーバプログラム２２ａ、画像変換処理に要するプログラム、付箋データ記憶エリア２２ｂ、付箋データ作成プログラム２２ｃ、付箋画像表示プログラム２２ｄ及びこれらのプログラムに係るデータ等を記憶する記憶手段である。
【００４４】
図４に、付箋データ記憶エリア２２ｂに記憶される付箋データの一例を示す。
図４に示す付箋データは、操作画面の管理用として操作画面毎に設定されている画面コードに対応付けられて、設定された表示位置とメッセージがデータテーブル形式で記憶されている。表示位置は、ユーザによって操作画面上の任意の位置を示す表示座標と、予め付箋画像の表示専用に設定された専用表示位置とを有し、いずれか一方の位置にメッセージが付箋画像として表示されるよう設定されている。
【００４５】
ＲＡＭ２３は、制御部２１によって実行される各種プログラム及びこれらに係るデータを一時的に記憶するワークエリアを形成する。
【００４６】
操作表示部２４は、各種機能項目を選択させるための操作部２５と、保有する機能の項目を示す操作画面を表示する第２表示手段としての表示部２６とを備える。
【００４７】
図５に、操作表示部２４の外観構成図を示す。
図５に示すように、操作部２５は、各種操作ハードキーとタッチパネル２５ａとを有する。
【００４８】
各種ハードキーは、数字キー、文字キー、各種機能キー等から構成され、操作画面に対して文字、符号、記号等から成る伝達情報としてのメッセージを入力するための情報入力手段としてのキーボード２５ｂや、付箋データ作成が指示されるために設けられた付箋作成キー２５ｃ、付箋画像を登録させる登録了解キー２５ｄ１、付箋画像を変更する登録変更キー２５ｄ２、付箋画像の表示の可否を設定する付箋表示キー２５ｅ、コピースタートキー、テンキー等のハードキーと、キーボード２５ｂから入力された文字、符号、記号等からなるメッセージを表示させるメッセージ表示エリア２５ｆを備え、これらのハードキーの操作信号を制御部２１に出力する。
【００４９】
タッチパネル２５ａは、表示部２６のＬＣＤに表示される操作画面Ｇ２０上に重畳され、電磁誘導式、磁気歪式、感圧式等の座標読み取り原理で押下指示された座標を検出し、検出した座標を制御部２１に出力することにより、メッセージの操作画面上Ｇ２０における表示位置を設定するための表示位置設定手段である。
【００５０】
図５に示す操作画面Ｇ２０は、コピー機能キーＫ１が選択された場合に操作可能な操作項目エリア毎の各種操作キーと付箋画像の専用表示位置Ｋ２とを有している。なお、図５に示す操作画面Ｇ２０は、予め設定されている機能項目の操作キーが反転表示されている。
【００５１】
画像形成装置２０の操作部２５を用いて付箋画像の表示位置が設定される場合、タッチパネル２５ａ上の押下指示された座標に基づいて表示位置が設定される。操作画面Ｇ２０に表示されている専用表示位置Ｋ２上が押下指示された場合、表示位置は専用表示位置Ｋ２と設定され、その他が押下指示された場合（例えば、図５に示す手の形で示された指示位置Ｐ１が押下された場合。）、その押下指示された位置に対する座標が表示位置と設定される。
【００５２】
なお、本実施の形態では、付箋作成キー２５ｃ、登録確認確認キー２５ｄ１、２５ｄ２、付箋表示キー２５ｅ、メッセージ表示エリア２５ｆは、操作画面上に設けられてもよく、付箋データの作成及び表示指示を制御部２１に指示できる構成であれば、この限りではない。
【００５３】
表示部２６は、ＬＣＤ（Liquid Crystal Display）等の表示画面と、表示画面上に保有する機能の項目を示す操作画面を表示させるためのデータを一時的に記憶するＶＲＡＭ２６ａとを備え、制御部２１からＶＲＡＭ２６ａに書込まれたデータに従って、所要の表示処理を行う。
【００５４】
画像読取部２７は、コンタクトガラスの下部に、光源、ＣＣＤ（Charge Coupled Devices）等の光電変換素子等を備えて構成され、コンタクトガラス上に載置された原稿を光走査し、その反射光をＣＣＤにより光電変換後、デジタル変換してその原稿画像データを取得する。原稿画像データは、印刷データとしてプリント部２８に格納される。
【００５５】
プリント部２８は、各種類の記録媒体を給紙する給紙部（不図示）を備え、制御部２１によりプリント指示された印刷データに基づいて、指定された記録媒体上に画像の形成を行う。なお、印刷方式は、電子写真方式、インクジェット方式等の何れの方式であってもよい。
【００５６】
通信部２９は、ＮＩＣやモデム、ＵＳＢ等の各種インターフェースを備えて構成され、ネットワークＮ上の外部機器と相互に情報の送受信を行う。
【００５７】
次に、本実施の形態の動作を説明する。
まず、図６に、ユーザが画像形成装置２０の操作部２５を操作することにより、付箋データが登録される場合の付箋データ生成処理のフローを示す。
【００５８】
画像形成装置２０の制御部２１は、表示部２６に操作画面が表示されているか否かを判断する（ステップＳ１）。画像形成装置２０の制御部２０は、表示部２６に操作画面が表示されていないと判断した場合（ステップＳ１；Ｎｏ）、操作画面が表示されるまで待機する。
【００５９】
画像形成装置２０の制御部２１は、表示部２６に操作画面が表示されていると判断した場合（ステップＳ１；Ｙｅｓ）、操作部２５の付箋作成キー２５ｃが押下されたか否かを判断する（ステップＳ２）。
【００６０】
画像形成装置２０の制御部２１は、付箋作成キー２５ｃが押下されていないと判断した場合（ステップＳ２；Ｎｏ）、付箋作成キー２５ｃが押下されるまで待機する。
【００６１】
画像形成装置２０の制御部２１は、付箋作成キー２５ｃが押下されたと判断した場合（ステップＳ２；Ｙｅｓ）、キーボード２５ｂによりメッセージが入力されたか否かを判断する（ステップＳ３）。
【００６２】
画像形成装置２０の制御部２１は、メッセージが入力されていないと判断した場合（ステップＳ３；Ｎｏ）、メッセージが入力されるまで待機する。
【００６３】
画像形成装置２０の制御部２１は、キーボート２５ｂによりメッセージが入力されたと判断した場合（ステップＳ３；Ｙｅｓ）、タッチパネル２５ａ上をユーザが押下し、押下指示された座標が操作部２５から入力されたか否か（即ち、表示位置の設定が行われたか否か。）を判断する（ステップＳ４）。
【００６４】
画像形成装置２０の制御部２１は、表示位置の設定が行われていないと判断した場合（ステップＳ４；Ｎｏ）、表示位置の設定が行われるまで待機する。
【００６５】
画像形成装置２０の制御部２１は、表示位置の設定が行われたと判断した場合（ステップＳ４；Ｙｅｓ）、付箋作成キー２５ｃが押下された時点において表示部２６に表示されている操作画面の画面コードとメッセージ及び表示位置とを対応付け、ＲＡＭ２３内に一時的に記憶させ（ステップＳ５）、対応付けられた画面コードにおける操作画面上にメッセージを設定された表示位置に付箋画像として表示部２６に表示させる（ステップＳ６）。即ち、操作画面上に付箋画像を表示させることにより、ユーザに対して付箋画像の確認を促すことができる。
【００６６】
図７に、付箋画像が操作画面上に表示された場合の一例を示す。
図７に示す付箋画像Ｆ１は、図５に示した操作画面Ｇ２０に対して、メッセージとして「コピー後は、原稿のとり忘れに注意！！」が入力され、図５に示す指示位置Ｐ１が表示位置として設定された場合に形成される付箋画像の一例である。
【００６７】
画像形成装置２０の制御部２１は、付箋画像を登録するか否かを判断する登録了解キー２５ｄ１又は登録変更キー２５ｄ２のいずれか一方が押下されたか否かを判断する（ステップＳ７）。
【００６８】
画像形成装置２０の制御部２１は、登録変更キー２５ｄ２が押下されたと判断した場合（ステップＳ７；Ｎｏ）、ＲＡＭ２３内に一時的に記憶された操作画面の画面コードに対応付けられたメッセージ及び表示位置のデータを消去し、付箋画像が表示されていない操作画面を表示させ、付箋作成キー２５ｃが押下されたか否かを判断する（ステップＳ２に戻る）。
【００６９】
画像形成装置２０の制御部２１は、登録了解キー２５ｄ１が押下されたと判断した場合（ステップＳ７；Ｙｅｓ）、ＲＡＭ２３に一時的に記憶されている操作画面の画面コードと、画面コードに対応付けられたメッセージ及び表示位置を付箋データとして記憶部２２の付箋データ記憶エリア２２ｂに登録させる（ステップＳ８）。
【００７０】
画像形成装置２０の制御部２１は、付箋データの登録処理後（ステップＳ８後）、表示部２６に操作画面が非表示か否かを判断する（ステップＳ９）。
【００７１】
画像形成装置２０の制御部２１は、表示部２６に操作画面が非表示でないと判断した場合（ステップＳ９；Ｎｏ）、付箋作成キー２５ｃが押下されたか否かを判断する（ステップＳ２に戻る）。
【００７２】
画像形成装置２０の制御部２１は、表示部２６に操作画面が非表示であると判断した場合（ステップＳ９；Ｙｅｓ）、付箋データ生成処理を終了させる。
【００７３】
次に、図８に、ユーザが遠隔操作装置１０の操作部１４を操作することにより、付箋データが登録される場合の付箋データ生成処理のフローを示す。
【００７４】
遠隔操作装置１０の制御部１１は、ブラウザを用いてユーザが操作する操作部１４からの操作信号に基づき、画像形成装置２０のウェブサーバにアクセスする（ステップＳ１１）。
【００７５】
画像形成装置２０の制御部２１において実行されているウェブサーバは、遠隔操作装置１０からのアクセス要求を受信し、記憶部２２に予め記憶されており表示部２６に表示される操作画面の基本画面データを読出し、読み出されたデータが制御部２１によって画像変換処理された閲覧操作画面としての画面データを遠隔操作装置１０に送信する（ステップＳ１２）。
【００７６】
遠隔操作装置１０の制御部１１は、ブラウザを用いて受信した画面データを表示部１５上に閲覧操作画面として表示させる（ステップＳ１３）。
【００７７】
図９に、ステップＳ１３の時点において遠隔操作装置１０の表示部１５に閲覧操作画面が表示されたウェブページの一例を示す。
【００７８】
図９に示す閲覧操作画面Ｇ１０は、ブラウザを用いて表示されるウェブページＷＰ上に表示され、コピー機能キーＫ１が選択された場合に操作可能な操作項目エリア毎に操作キーが表示されている。なお、図９に示す閲覧操作画面Ｇ１０は、予め設定されている機能項目の操作キーが反転表示されており、図５に示す画像形成装置２０の表示部２６に表示される操作画面Ｇ２０と略同一の画面である。
【００７９】
また、図９に示す閲覧操作画面Ｇ１０を表示するウェブページＷＰ上には、閲覧操作画面Ｇ１０毎に付箋作成チェックボックスＢ１、メッセージボックスＢ２が選択及び入力指示可能に表示されている。
【００８０】
付箋作成チェックボックスＢ１は、付箋データ作成の選択可能とするために設けられたチェックボックスであり、メッセージボックスＢ２は、文字、符号、記号等からなるメッセージを入力させるテキストボックスである。
【００８１】
遠隔操作装置１０の表示部１５に閲覧操作画面Ｇ１０が表示された後（ステップＳ１３後）、遠隔操作装置１０の制御部１１は、ウェブページＷＰ上に表示された閲覧操作画面Ｇ１０に対する操作指示があるか否かを判断する（ステップＳ１４）。
【００８２】
遠隔操作装置１０の制御部１１は、ウェブページＷＰ上に表示された閲覧操作画面Ｇ１０に対する操作指示がないと判断した場合（ステップＳ１４；Ｎｏ）、操作指示あるまで待機する。
【００８３】
遠隔操作装置１０の制御部１１は、ウェブページＷＰ上に表示された閲覧操作画面Ｇ１０に対する操作指示があると判断した場合（ステップＳ１４；Ｙｅｓ）、操作指示信号を画像形成装置２０に送信する（ステップＳ１５）。
【００８４】
画像形成装置２０の制御部２１によって実行されるウェブサーバは、遠隔操作装置１０から操作指示信号を受信し、制御部２１は、ウェブサーバが受信した操作指示信号内に、付箋データ作成の指示があるか否かを判断する（例えば、付箋チェックボックスＢ１が選択されチェックマークが付いているか否かを判断する。）（ステップＳ１６）。
【００８５】
画像形成装置２０の制御部２１は、付箋作成の指示がないと判断した場合（ステップＳ１６；Ｎｏ）、付箋作成指示の信号を含む操作指示信号を受信するまで待機する。
【００８６】
画像形成装置２０の制御部２１は、付箋作成の指示があると判断した場合（ステップＳ１６；Ｙｅｓ）、メッセージが入力されているか否かを判断する（例えば、メッセージボックスＢ２に文字、符号、記号等が入力されているか否かを判断する。）（ステップＳ１７）。
【００８７】
画像形成装置２０の制御部２１は、メッセージが入力されていないと判断した場合（ステップＳ１７；Ｎｏ）、メッセージが未入力であることを示す閲覧操作画面を遠隔操作装置１０に表示させる。
【００８８】
画像形成装置２０の制御部２１は、メッセージが入力されていると判断した場合（ステップＳ１７；Ｙｅｓ）、表示位置が設定されているか否かを判断する（ステップＳ１８）。
【００８９】
画像形成装置２０の制御部２１は、表示位置が設定されていないと判断した場合（ステップＳ１８；Ｎｏ）、表示位置が未設定であることを示す閲覧操作画面を遠隔操作装置１０に表示させる。
【００９０】
画像形成装置２０の制御部２１は、表示位置が設定されていると判断した場合（ステップＳ１８；Ｙｅｓ）、付箋作成チェックボックスが選択された閲覧操作画面に対応する操作画面の画面コードとメッセージ及び表示位置を対応付け、ＲＡＭ２３内に一時的に記憶させ（ステップＳ１９）、対応付けられた画面コードにおける閲覧操作画面上にメッセージを表示位置に付箋画像として表示されるよう付箋画像のデータを遠隔操作装置１０に送信させる（ステップＳ２０）。即ち、閲覧操作画面上に付箋画像を表示させることにより、遠隔操作装置１０を操作しているユーザに対して、付箋画像の確認を促すことができる。
【００９１】
遠隔操作装置１０の制御部１１は、付箋画像のデータを受信し、表示部１５に表示された閲覧操作画面上に表示させる（ステップＳ２１）。
【００９２】
図１０に、ステップＳ２１の時点において遠隔操作装置１０の表示部１５に付箋画像が閲覧操作画面上に表示されたウェブページの一例を示す。
【００９３】
図１０に示す付箋画像Ｆ２は、図９に示した閲覧操作画面Ｇ１０上に表示されており、メッセージとして「コピー後は、原稿のとり忘れに注意！！」が入力され、図９に示すＰ２の位置が表示位置として設定された場合に形成される付箋画像である。
【００９４】
また、図１０に示す閲覧操作画面Ｇ１０上に付箋画像Ｆ２が表示されたウェブページＷＰ上には、付箋登録チェックボックスＢ３又は付箋変更チェックボックスＢ４のいずれか一方が選択可能に表示されている。
【００９５】
付箋登録チェックボックスＢ３は、付箋画像Ｆ２が登録されるために設けられたチェックボックスであり、付箋変更チェックボックスＢ４は、付箋画像Ｆ２が変更されるために設けられたチェックボックスである。
【００９６】
ウェブページＷＰ上の閲覧操作画面Ｇ１０上に付箋画像Ｆ２が表示された後（ステップＳ２１後）、遠隔操作装置１０の制御部１１は、閲覧操作画面Ｇ１０上に付箋画像Ｆ２が表示されたウェブページＷＰに対する操作指示があるか否かを判断する（ステップＳ２２）。
【００９７】
遠隔操作装置１０の制御部１１は、閲覧操作画面Ｇ１０上に付箋画像Ｆ２が表示されたウェブページＷＰに対する操作指示がないと判断した場合（ステップＳ２２；Ｎｏ）、操作指示あるまで待機する。
【００９８】
遠隔操作装置１０の制御部１１は、閲覧操作画面Ｇ１０上に付箋画像Ｆ２が表示されたウェブページＷＰに対する操作指示があると判断した場合（ステップＳ２２；Ｙｅｓ）、操作指示信号を画像形成装置２０に送信する（ステップＳ２３）。
【００９９】
画像形成装置２０の制御部２１によって実行されるウェブサーバは、遠隔操作装置１０から操作指示信号を受信し、制御部２１は、ウェブサーバが受信した操作指示信号内に、付箋登録指示があるか否かを判断する（例えば、登録チェックボックスＢ３が選択されチェックマークが付いているか否かを判断する。）（ステップＳ２４）。
【０１００】
画像形成装置２０の制御部２１は、付箋登録指示がないと判断した場合（ステップＳ２４；Ｎｏ）、付箋変更指示と判断し、ＲＡＭ２３に一時的に記憶された付箋作成チェックボックスが選択された閲覧操作画面の画面コードに対応付けられたメッセージ及び表示位置のデータを消去し、付箋画像が表示されていない閲覧操作画面を遠隔操作装置１０に表示させるよう制御し、付箋作成指示の信号を含む操作指示信号を受信するまで待機する（ステップＳ１６に戻る）。
【０１０１】
画像形成装置２０の制御部２１は、付箋登録指示があると判断した場合（ステップＳ２４；Ｙｅｓ）、ＲＡＭ２３に一時的に記憶されている閲覧操作画面の画面コードと、画面コードに対応付けられたメッセージ及び表示位置を付箋データとして記憶部２２の付箋データ記憶エリア２２ｂに登録させる（ステップＳ２５）。
【０１０２】
遠隔操作装置１０の制御部１１は、操作指示信号を画像形成装置２０に送信した後（ステップＳ２３後）、ユーザが操作する操作部１４からの操作信号に基づき、画像形成装置２０のウェブサーバへのアクセス解除の指示が入力されたか否かを判断する（ステップＳ２６）。
【０１０３】
遠隔操作装置１０の制御部１１は、ウェブサーバへのアクセス解除の指示が入力されていないと判断した場合（ステップＳ２６；Ｎｏ）、ステップＳ１３に戻る。
【０１０４】
遠隔操作装置１０の制御部１１は、ウェブサーバへのアクセス解除の指示が入力されたと判断した場合（ステップＳ２６；Ｙｅｓ）、ウェブサーバへのアクセス解除指示を画像形成装置２０に送信する（ステップＳ２７）。
【０１０５】
画像形成装置２０の制御部２１において実行されているウェブサーバは、遠隔操作装置１０からのアクセス解除指示を受信したか否かを判断する（テップＳ２６）。
【０１０６】
画像形成装置２０の制御部２１は、ウェブサーバが遠隔操作装置１０からアクセス解除指示を受信していないと判断した場合（ステップＳ２６；Ｎｏ）、ステップ１２に戻る。
【０１０７】
画像形成装置２０の制御部２１は、ウェブサーバが遠隔操作装置１０からアクセス解除指示を受信したと判断した場合（ステップＳ２６；Ｙｅｓ）、付箋データ生成処理を終了させる。
【０１０８】
図１１に、登録された付箋データを付箋画像として操作画面上に表示させる付箋画像表示処理のフローを示す。
【０１０９】
画像形成装置２０の制御部２１は、付箋表示キー２５ｅがＯＮ状態であるか否かを判断する（ステップＳ３１）。
【０１１０】
画像形成装置２０の制御部２１は、付箋表示キー２５ｅがＯＮ状態でないと判断した場合（ステップＳ３１；Ｎｏ）、付箋画像の表示が許可されていないと判断し、付箋表示キー２５ｅがＯＮ状態になるまで待機する。
【０１１１】
画像形成装置２０の制御部２１は、付箋表示キー２５ｅがＯＮ状態であると判断した場合（ステップＳ３１；Ｙｅｓ）、付箋画像の表示が許可されていると判断し、表示部２６に操作画面が表示されるか否かを判断する（ステップＳ３２）。
【０１１２】
画像形成装置２０の制御部２１は、表示部２６に操作画面が表示されないと判断した場合（ステップＳ３２；Ｎｏ）、操作画面が表示されるまで待機する。
【０１１３】
画像形成装置２０の制御部２１は、表示部２６に操作画面が表示されると判断した場合（ステップＳ３２；Ｙｅｓ）、表示される操作画面の画面コードを確認する（ステップＳ３３）。
【０１１４】
画像形成装置２０の制御部２１は、付箋データ記憶エリア２２ｂに登録されている付箋データテーブルを参照し（ステップＳ３４）、確認した画面コードに該当する付箋データがあるか否かを判断する（ステップＳ３５）。
【０１１５】
画像形成装置２０の制御部２１は、画面コードに該当する付箋データがある場合（ステップＳ３５；Ｙｅｓ）、該当付箋データに設定されている表示位置は、専用表示位置であるか否かを判断する（ステップＳ３６）。
【０１１６】
画像形成装置２０の制御部２１は、表示位置が専用表示位置でないと判断した場合（ステップＳ３６；Ｎｏ）、表示座標が示す操作画面上の位置に付箋画像を表示させる（ステップＳ３７）。
【０１１７】
画像形成装置２０の制御部２１は、表示位置が専用表示位置であると判断した場合（ステップＳ３５；Ｙｅｓ）、操作画面上の専用表示位置に付箋画像を表示させる（ステップＳ３８）。
【０１１８】
画像形成装置２０の制御部２１は、該当付箋データがない場合（ステップＳ３５；Ｎｏ）又は操作画面上に付箋画像を表示した後（ステップＳ３７、３８後）、表示部２６に操作画面が非表示であるか否かを判断する（ステップＳ３９）。
【０１１９】
画像形成装置２０の制御部２１は、表示部２６に操作画面が非表示でないと判断した場合（ステップＳ３９；Ｎｏ）、ステップＳ３３に戻る。
【０１２０】
画像形成装置２０の制御部２１は、表示部２６に操作画面が非表示であると判断した場合（ステップＳ３９；Ｙｅｓ）、付箋画像表示処理を終了する。
【０１２１】
このように、画像形成装置２０は、操作部２５によって入力された文字、符号、記号等から成るメッセージを表示部２６に表示される操作画面上の設定した位置に付箋画像として表示させることができるため、各種操作画面に対する補助的な操作指示や注意喚起、備忘録等の情報を表示でき、操作性が向上された画像形成装置２０を実現することができ、また、遠隔操作装置１０に特別な処理プログラムを用意することなく遠隔操作装置１０から画像形成装置２０の表示部２６に表示される付箋画像を容易に設定することができ、操作性が向上された画像形成装置及び画像形成システムを実現することができる。
【０１２２】
更に、各種操作画面に対する添付画像の表示位置を専用表示位置又は表示座標に基づいた位置に設定することができるため、ユーザにとって視認しやすい位置に設定することができ、操作画面毎の情報を探す手間を省くことができると共に誤操作を防止し、作業効率が向上された画像形成装置及び画像形成システムを実現することができる。
【０１２３】
また、画像形成装置２０には、付箋画像の表示の可否を設定する付箋表示キー２５ｅが設けられているため、操作画面上に表示可能な付箋画像を容易に表示させることができ、ユーザにとって使い勝手が向上された画像形成装置を実現することができる。
【０１２４】
また、本発明は、上記実施の形態の内容に限定されるものではなく、本発明の主旨を逸脱しない範囲で適宜変更可能である。
【図面の簡単な説明】
【０１２５】
【図１】本実施の形態における画像形成システム１の構成図である。
【図２】遠隔操作装置１０の内部構成図である。
【図３】画像形成装置２０の内部構成図である。
【図４】付箋データ記憶エリア２２ｂに記憶される付箋データの一例である。
【図５】操作表示部２４の外観構成図である。
【図６】ユーザが画像形成装置２０の操作部２５を操作することにより、付箋データが登録される場合の付箋データ生成処理のフローである。
【図７】付箋画像が操作画面上に表示された場合の一例図である。
【図８】ユーザが遠隔操作装置１０の操作部１４を操作することにより、付箋データが登録される場合の付箋データ生成処理のフローである。
【図９】遠隔操作装置１０の表示部１５に閲覧操作画面が表示されたウェブページの一例である。
【図１０】遠隔操作装置１０の表示部１５に付箋画像が閲覧操作画面上に表示されたウェブページの一例である。
【図１１】登録された付箋データを付箋画像として操作画面上に表示させる付箋画像表示処理のフローである。
【符号の説明】
【０１２６】
１  画像形成システム
１０  遠隔操作装置
１１  制御部
１２  記憶部
１２ａ  ブラウザプログラム
１３  ＲＡＭ
１４  操作部
１５  表示部
１６  通信部
１７  バス
２０  画像形成装置
２１  制御部
２２  記憶部
２２ａ  ウェブサーバプログラム
２２ｂ  付箋データ記憶エリア
２２ｃ  付箋データ作成プログラム
２２ｄ  付箋画像表示プログラム
２３  ＲＡＭ
２４  操作表示部
２５  操作部
２５ａ  タッチパネル
２５ｂ  キーボード
２５ｃ  付箋作成キー
２５ｄ１  登録了解キー
２５ｄ２  登録変更キー
２５ｅ  付箋表示キー
２５ｆ  メッセージ表示エリア
２６  表示部
２６ａ  ＶＲＡＭ
２７  画像読取部
２８  プリント部
２９  通信部
３０  バス
Ｂ１  付箋作成チェックボックス
Ｂ２  メッセージボックス
Ｂ３  登録チェックボックス
Ｂ４  変更チェックボックス
Ｆ１、Ｆ２  付箋画像
Ｇ１０  閲覧操作画面
Ｇ２０  操作画面
Ｋ１  コピー機能キー
Ｋ２  専用表示位置
Ｐ１、Ｐ２  指示位置
Ｎ  ネットワーク
ＷＰ  ウェブページ
【図１】
2006139186.tif 000003
【図２】
2006139186.tif 000004
【図３】
2006139186.tif 000005
【図４】
2006139186.tif 000006
【図５】
2006139186.tif 000007
【図６】
2006139186.tif 000008
【図７】
2006139186.tif 000009
【図８】
2006139186.tif 000010
【図９】
2006139186.tif 000011
【図１０】
2006139186.tif 000012
【図１１】
2006139186.tif 000013